(57)【要約】【課題】ユーザが興味を持つ可能性の高いコンテンツの履歴情報を参照して、当該コンテンツを再表示できる、コンテンツ表示装置を提供する。【解決手段】コンテンツを表示する表示部１５０と、当該表示したコンテンツを再表示する際の優先順位を設定した履歴情報を生成する履歴管理制御部１１１とを備え、当該履歴情報に基づき当該コンテンツを再表示するコンテンツ表示装置１６０であって、表示部１５０が表示した上記コンテンツの、視聴者によって選択されたときの選択方法を検出する操作判別部１３０と、上記コンテンツの表示時間を測定するタイマカウンタ１１２とをさらに備え、履歴管理制御部１１１は、上記選択方法に応じた係数を上記表示時間に乗算した乗算値に基づいた上記優先順位を設定した履歴情報を生成する。【選択図】  図１
2009021816.tif 000002
【特許請求の範囲】
【請求項１】
コンテンツを表示する表示手段と、当該表示したコンテンツを再表示する際の優先順位を設定した履歴情報を生成する生成手段とを備え、当該履歴情報に基づき当該コンテンツを再表示するコンテンツ表示装置であって、
上記表示手段が表示した上記コンテンツの、視聴者によって選択されたときの選択方法を検出する検出手段と、
上記コンテンツの表示時間を測定する測定手段とをさらに備え、
上記生成手段は、
上記選択方法に応じた係数を上記表示時間に乗算した乗算値に基づいた上記優先順位を設定した履歴情報を生成することを特徴とする、コンテンツ表示装置。
【請求項２】
コンテンツを表示する表示手段と、当該表示したコンテンツを再表示する際の優先順位を設定した履歴情報を生成する生成手段とを備え、当該履歴情報に基づき当該コンテンツを再表示するコンテンツ表示装置であって、
上記コンテンツのジャンルを示す第１ジャンル情報を取得する第１取得手段と、
上記表示手段が上記コンテンツよりも過去に表示した他のコンテンツのジャンルを示す第２ジャンル情報を取得する第２取得手段と、
上記コンテンツの表示時間を測定する測定手段とをさらに備え、
上記生成手段は、
上記第１ジャンル情報と上記第２ジャンル情報との比較結果に応じた係数を、上記表示時間に乗算し、乗算した乗算値に基づいた上記優先順位を設定した上記履歴情報を生成することを特徴とする、コンテンツ表示装置。
【請求項３】
コンテンツを表示する表示手段と、当該表示したコンテンツを再表示する際の優先順位を設定した履歴情報を生成する生成手段とを備え、当該履歴情報に基づき当該コンテンツを再表示するコンテンツ表示装置であって、
上記コンテンツが視聴者によって選択されたときの選択方法を検出する検出手段をさらに備え、
上記生成手段は、
上記選択方法に応じた係数を上記コンテンツが選択されて表示されるごとに累計加算して得た累計値に基づいた上記優先順位を設定した上記履歴情報を生成することを特徴とする、コンテンツ表示装置。
【請求項４】
コンテンツを表示する表示手段と、当該表示したコンテンツを再表示する際の優先順位を設定した履歴情報を生成する生成手段とを備え、当該履歴情報に基づき当該コンテンツを再表示するコンテンツ表示装置であって、
上記コンテンツのジャンルを示す第１ジャンル情報を取得する第１取得手段と、
上記表示手段が上記コンテンツよりも過去に表示した他のコンテンツのジャンルを示す第２ジャンル情報を取得する第２取得手段とをさらに備え、
上記生成手段は、
上記第１ジャンル情報と上記第２ジャンル情報との比較結果に応じた係数を、上記コンテンツが選択されて表示されるごとに累計加算し、累計加算して得た累計値に基づいた上記優先順位を設定した上記履歴情報を生成することを特徴とする、コンテンツ表示装置。
【請求項５】
上記表示手段が表示する上記コンテンツに対する、視聴者の操作内容を検出する操作内容検出手段を備え、
上記生成手段は、
上記操作内容が所定の操作内容であるかを判定し、
上記判定結果に基づき、生成する上記履歴情報を選択することを特徴とする、請求項１から４までのいずれか１項に記載のコンテンツ情報管理装置。
【請求項６】
現在表示可能なコンテンツを検出する表示可能コンテンツ検出手段を備え、
上記生成手段は、
生成した上記履歴情報のコンテンツと、現在表示可能なコンテンツとを比較し、
上記履歴情報のコンテンツが、現在表示可能なコンテンツに一致しない場合、一致しないコンテンツの履歴情報を削除することを特徴とする、請求項１から５までのいずれか１項に記載のコンテンツ情報管理装置。
【請求項７】
コンテンツを表示する表示ステップと、当該表示したコンテンツを再表示する際の優先順位を設定した履歴情報を生成する生成ステップとを備え、当該履歴情報に基づき当該コンテンツを再表示するコンテンツ表示方法であって、
上記表示ステップにおいて表示した上記コンテンツの、視聴者によって選択されたときの選択方法を検出する検出ステップと、
上記コンテンツの表示時間を測定する測定ステップとをさらに備え、
上記生成ステップは、
上記選択方法に応じた係数を上記表示時間に乗算した乗算値に基づいた上記優先順位を設定した履歴情報を生成することを特徴とする、コンテンツ表示方法。
【請求項８】
コンテンツを表示する表示ステップと、当該表示したコンテンツを再表示する際の優先順位を設定した履歴情報を生成する生成ステップとを備え、当該履歴情報に基づき当該コンテンツを再表示するコンテンツ表示方法であって、
上記コンテンツのジャンルを示す第１ジャンル情報を取得する第１取得ステップと、
上記表示ステップにおいて上記コンテンツよりも過去に表示した他のコンテンツのジャンルを示す第２ジャンル情報を取得する第２取得ステップと、
上記コンテンツの表示時間を測定する測定ステップとをさらに備え、
上記生成ステップは、
上記第１ジャンル情報と上記第２ジャンル情報との比較結果に応じた係数を、上記表示時間に乗算し、乗算した乗算値に基づいた上記優先順位を設定した上記履歴情報を生成することを特徴とする、コンテンツ表示方法。
【請求項９】
コンテンツを表示する表示ステップと、当該表示したコンテンツを再表示する際の優先順位を設定した履歴情報を生成する生成ステップとを備え、当該履歴情報に基づき当該コンテンツを再表示するコンテンツ表示装置であって、
上記コンテンツが視聴者によって選択されたときの選択方法を検出する検出ステップをさらに備え、
上記生成ステップは、
上記選択方法に応じた係数を上記コンテンツが選択されて表示されるごとに累計加算して得た累計値に基づいた上記優先順位を設定した上記履歴情報を生成することを特徴とする、コンテンツ表示方法。
【請求項１０】
コンテンツを表示する表示ステップと、当該表示したコンテンツを再表示する際の優先順位を設定した履歴情報を生成する生成ステップとを備え、当該履歴情報に基づき当該コンテンツを再表示するコンテンツ表示方法であって、
上記コンテンツのジャンルを示す情報を取得する取得ステップと、
上記コンテンツのジャンルを示す第１ジャンル情報を取得する第１取得ステップと、
上記表示手段が上記コンテンツよりも過去に表示した他のコンテンツのジャンルを示す第２ジャンル情報を取得する第２取得ステップとをさらに備え、
上記生成ステップは、
上記第１ジャンル情報と上記第２ジャンル情報との比較結果に応じた係数を、上記コンテンツが選択されて表示されるごとに累計加算し、累計加算して得た累計値に基づいた上記優先順位を設定した上記履歴情報を生成することを特徴とする、コンテンツ表示方法。
【請求項１１】
請求項１から６までのいずれか１項に記載のコンテンツ表示装置を動作させるコンテンツ表示プログラムであって、コンピュータを上記の各手段として機能させるためのコンテンツ表示プログラム。
【請求項１２】
請求項１１に記載のコンテンツ表示プログラムを記録しているコンピュータ読み取り可能な記録媒体。
【発明の詳細な説明】
【技術分野】
【０００１】
本発明は、テレビ放送番組などのコンテンツを表示し、過去に表示したコンテンツを再表示することが可能なコンテンツ表示装置に関するものである。
【背景技術】
【０００２】
近年、テレビ放送の多チャンネル化に伴い、テレビ放送からの映像コンテンツを表示する表示装置において、視聴者が多くの番組の中からより好みに合う番組を選択できるように工夫がされている。具体的には、複数の映像コンテンツを同時に見て比較し、好みのチャンネルの映像コンテンツを選択できるように、複数チャンネルの映像コンテンツを同時表示可能な多画面表示機能をもたせたコンテンツ表示装置がある。このようなコンテンツ表示装置においては、子画面に表示するチャンネルは、子画面のチャンネル切り替え操作によって、選択表示するものが多い。この場合、親画面の選局操作とは別に、子画面の選局操作が必要となり、操作が煩雑になるという問題がある。
【０００３】
この問題を解決するために、特許文献１においては、視聴者による親画面のチャンネル操作に対応して、子画面に表示するチャンネルを、過去の親画面に表示していたチャンネルに、自動的に切り替える表示装置を開示している。さらに、特許文献２においては、親画面に表示されたチャンネルの表示時間より、視聴者の好みのチャンネルを判定する方法を開示している。
【特許文献１】特開平１０−３３６５４２号公報（平成１０年１２月１８日公開）
【特許文献２】特開２００５−８６３２５号公報（平成１７年３月３１日公開）
【発明の開示】
【発明が解決しようとする課題】
【０００４】
しかしながら、特許文献１が開示する表示装置においては、視聴者がザッピングにより、親画面に表示した全てのチャンネルを記憶することになる。したがって、視聴者が興味を持っていないチャンネルまで、内部に記憶し子画面に表示するという問題がある。また、特許文献２が開示する方法においては、親画面に表示されたチャンネルの表示時間より、視聴者の好みのチャンネルを判定しているが、必ずしも、表示時間が長いチャンネルが、視聴者の好みのチャンネルとは限らない。例えば、表示時間が長いチャンネルがあったとしても、視聴者は別の作業等を行い、表示されているチャンネルを視聴していない可能性もある。
【０００５】
つまり、従来技術には、ユーザが興味を持たない可能性の高いコンテンツの履歴情報を参照して当該コンテンツを再生してしまうという問題がある。
【０００６】
本発明は、上記課題を解決するためになされたものであり、その目的は、視聴者が興味を持つ可能性の高いコンテンツの履歴情報を参照して、当該コンテンツを再表示できるコンテンツ表示装置を提供することにある。
【課題を解決するための手段】
【０００７】
本発明に係るコンテンツ表示装置は、上記の課題を解決するために、
コンテンツを表示する表示手段と、当該表示したコンテンツを再表示する際の優先順位を設定した履歴情報を生成する生成手段とを備え、当該履歴情報に基づき当該コンテンツを再表示するコンテンツ表示装置であって、上記表示手段が表示した上記コンテンツの、視聴者によって選択されたときの選択方法を検出する検出手段と、上記コンテンツの表示時間を測定する測定手段とをさらに備え、上記生成手段は、上記選択方法に応じた係数を上記表示時間に乗算した乗算値に基づいた上記優先順位を設定した履歴情報を生成することを特徴としている。
【０００８】
上記の構成によれば、コンテンツ表示装置は、検出手段からの選択方法に応じた係数を上記表示時間に乗算し、乗算した乗算値に基づき優先順位を履歴情報に設定する。この優先順位に基づき履歴情報を参照することにより、視聴者が興味を持つ可能性の高いコンテンツの履歴情報を参照する。具体的には、視聴者に選択されたときの選択方法が、例えば電子番組表から選択された場合や、直接チャンネルを指定するダイレクト選局である場合は、視聴者がコンテンツの内容を認識し、コンテンツを切り替える。
【０００９】
一方、視聴者に選択されたときの選択方法が、チャンネルを順送りにて切り替える順送り選択の場合は、視聴者はコンテンツの内容を認識せずに、コンテンツを切り替える。一般に、電子番組表からやダイレクト選局によって選択されたコンテンツは、順送り選択によって選択されたコンテンツよりも、視聴者が興味をもつコンテンツである。ここで、電子番組表やダイレクト選局による選択方法の場合は、順送り選択の場合よりも、上記の係数を大きくすることにより、上記の乗算値は大きくなる。
【００１０】
このように、本発明のコンテンツ表示装置は、表示時間が同じコンテンツであっても、コンテンツの選択方法によって、表示時間に重み付けを行った乗算値として異なる値を得る。この結果、表示時間だけからではなく、表示時間に、選択方法に応じた係数を乗算した乗算値を用いて、履歴情報に設定する優先順位を決定する。したがって、より視聴者が興味を持つ可能性の高いことを示す優先順位を履歴情報に設定する。
【００１１】
その結果、本発明のコンテンツ表示装置は、ユーザが興味を持つ可能性の高いコンテンツの履歴情報を参照して、当該コンテンツを再表示できるという効果を奏する。
【００１２】
本発明に係るコンテンツ表示方法は、上記の課題を解決するために、
コンテンツを表示する表示ステップと、当該表示したコンテンツを再表示する際の優先順位を設定した履歴情報を生成する生成ステップとを備え、当該履歴情報に基づき当該コンテンツを再表示するコンテンツ表示方法であって、上記表示ステップにおいて表示した上記コンテンツの、視聴者によって選択されたときの選択方法を検出する検出ステップと、上記コンテンツの表示時間を測定する測定ステップとをさらに備え、上記生成ステップは、上記選択方法に応じた係数を上記表示時間に乗算した乗算値に基づいた上記優先順位を設定した履歴情報を生成することを特徴としている。
【００１３】
上記の構成によれば、本発明に係るコンテンツ情報管理装置と同様の作用効果を奏する。
【００１４】
本発明に係るコンテンツ表示装置は、さらに、
コンテンツを表示する表示手段と、当該表示したコンテンツを再表示する際の優先順位を設定した履歴情報を生成する生成手段とを備え、当該履歴情報に基づき当該コンテンツを再表示するコンテンツ表示装置であって、上記コンテンツのジャンルを示す第１ジャンル情報を取得する第１取得手段と、上記表示手段が上記コンテンツよりも過去に表示した他のコンテンツのジャンルを示す第２ジャンル情報を取得する第２取得手段と、上記コンテンツの表示時間を測定する測定手段とをさらに備え、上記生成手段は、上記第１ジャンル情報と上記第２ジャンル情報との比較結果に応じた係数を、上記表示時間に乗算し、乗算した乗算値に基づいた上記優先順位を設定した上記履歴情報を生成することを特徴としている。
【００１５】
上記の構成によれば、生成手段は、コンテンツのジャンル示す第１ジャンル情報と、当該コンテンツとは異なる過去に表示されたコンテンツのジャンルを示す第２ジャンル情報とを比較し、この比較結果に応じた係数により、表示時間に重み付けを行っている。ここで、一般に、視聴者が過去に視聴した複数のコンテンツのジャンルと、現在表示中のコンテンツのジャンルとを比較し、現在表示中のコンテンツのジャンルに一致する、過去に視聴したコンテンツの数が多ければ多いほど、現在表示中のコンテンツは、視聴者の興味が高いコンテンツである。このとき、生成手段は、視聴者が過去に視聴した複数のコンテンツのジャンルと、現在表示中のコンテンツのジャンルとを比較し、現在表示中のコンテンツの内容と一致する、過去に視聴したコンテンツの数が多ければ多いほど、上記の係数を大きくし、上記の乗算値は大きくする。
【００１６】
このように、表示時間が同じコンテンツであっても、現在表示中のコンテンツと、過去に表示されたコンテンツとのジャンルの類似性によって、表示時間に重み付けを行う乗算値は異なる。つまり、本発明のコンテンツ表示装置は、表示時間だけからではなく、表示時間に、過去のコンテンツとの類似性に応じた係数を乗算した乗算値を用いて、履歴情報に設定する優先順位を決定する。したがって、より視聴者が興味を持つ可能性の高いことを示す優先順位を履歴情報に設定する。
【００１７】
その結果、本発明のコンテンツ表示装置は、ユーザが興味を持つ可能性の高いコンテンツの履歴情報を参照して、当該コンテンツを再表示できるという効果を奏する。
【００１８】
本発明に係るコンテンツ表示方法は、さらに、
コンテンツを表示する表示ステップと、当該表示したコンテンツを再表示する際の優先順位を設定した履歴情報を生成する生成ステップとを備え、当該履歴情報に基づき当該コンテンツを再表示するコンテンツ表示方法であって、上記コンテンツのジャンルを示す第１ジャンル情報を取得する第１取得ステップと、上記表示ステップにおいて上記コンテンツよりも過去に表示した他のコンテンツのジャンルを示す第２ジャンル情報を取得する第２取得ステップと、上記コンテンツの表示時間を測定する測定ステップとをさらに備え、
上記生成ステップは、上記第１ジャンル情報と上記第２ジャンル情報との比較結果に応じた係数を、上記表示時間に乗算し、乗算した乗算値に基づいた上記優先順位を設定した上記履歴情報を生成することを特徴としている。
【００１９】
上記の構成によれば、本発明に係るコンテンツ情報管理装置と同様の作用効果を奏する。
【００２０】
本発明に係るコンテンツ表示装置は、さらに、
コンテンツを表示する表示手段と、当該表示したコンテンツを再表示する際の優先順位を設定した履歴情報を生成する生成手段とを備え、当該履歴情報に基づき当該コンテンツを再表示するコンテンツ表示装置であって、上記コンテンツが視聴者によって選択されたときの選択方法を検出する検出手段をさらに備え、上記生成手段は、上記選択方法に応じた係数を上記コンテンツが選択されて表示されるごとに累計加算して得た累計値に基づいた上記優先順位を設定した上記履歴情報を生成することを特徴としている。
【００２１】
まず、一般に、視聴者がコンテンツの切替を複数回行った場合に、表示回数が多いコンテンツほど、視聴者が興味をもつコンテンツである。
【００２２】
上記の構成によれば、生成手段は、検出手段からの選択方法により係数を算出し、コンテンツが選択されるごとに、算出した係数を累計加算する。つまり、表示回数が多いコンテンツほど、この係数を累計加算した累計値は大きい値となる。さらに、生成手段は、この累計値に基づいて、履歴情報に設定する優先順位を決定する。
【００２３】
このように、生成手段は、コンテンツの表示回数およびコンテンツの選択方法の、視聴者が興味もった可能性の高いと判断できる２つの情報に基づき、より視聴者が興味を持つ可能性の高いことを示す優先順位を設定した履歴情報を生成できる。この結果、本発明のコンテンツ表示装置は、ユーザが興味を持つ可能性の高いコンテンツの履歴情報を参照して、当該コンテンツを再表示できるという効果を奏する。
【００２４】
本発明に係るコンテンツ表示方法は、さらに、
コンテンツを表示する表示ステップと、当該表示したコンテンツを再表示する際の優先順位を設定した履歴情報を生成する生成ステップとを備え、当該履歴情報に基づき当該コンテンツを再表示するコンテンツ表示装置であって、上記コンテンツが視聴者によって選択されたときの選択方法を検出する検出ステップをさらに備え、上記生成ステップは、上記選択方法に応じた係数を上記コンテンツが選択されて表示されるごとに累計加算して得た累計値に基づいた上記優先順位を設定した上記履歴情報を生成することを特徴としている。
【００２５】
上記の構成によれば、本発明に係るコンテンツ情報管理装置と同様の作用効果を奏する。
【００２６】
本発明に係るコンテンツ表示装置は、さらに、
コンテンツを表示する表示手段と、当該表示したコンテンツを再表示する際の優先順位を設定した履歴情報を生成する生成手段とを備え、当該履歴情報に基づき当該コンテンツを再表示するコンテンツ表示装置であって、上記コンテンツのジャンルを示す第１ジャンル情報を取得する第１取得手段と、上記表示手段が上記コンテンツよりも過去に表示した他のコンテンツのジャンルを示す第２ジャンル情報を取得する第２取得手段とをさらに備え、上記生成手段は、上記第１ジャンル情報と上記第２ジャンル情報との比較結果に応じた係数を、上記コンテンツが選択されて表示されるごとに累計加算し、累計加算して得た累計値に基づいた上記優先順位を設定した上記履歴情報を生成することを特徴としている。
【００２７】
まず、上述したように、一般に、表示回数が多いコンテンツほど、視聴者の興味が高いコンテンツである。さらに、視聴者が過去に視聴した複数のコンテンツのジャンルと、現在表示中のコンテンツのジャンルとを比較し、現在表示中のコンテンツのジャンルに一致する、過去に視聴したコンテンツの数が多ければ多いほど、現在表示中のコンテンツは、視聴者の興味が高いコンテンツである。このとき、生成手段は、視聴者が過去に視聴した複数のコンテンツのジャンルと、現在表示中のコンテンツのジャンルとを比較し、現在表示中のコンテンツのジャンルと一致する、過去に視聴したコンテンツの数が多ければ多いほど、上記の係数を大きくする。さらに、生成手段は、この係数をコンテンツが選択されて表示されるごとに累計加算し、累計加算した累計値に基づき、履歴情報に設定する優先順位を決定する。
【００２８】
このように、生成手段は、コンテンツの表示回数と、過去に表示されたコンテンツのジャンルの類似性との、視聴者が興味もった可能性の高いと判断できる２つの情報に基づき、より視聴者が興味を持つ可能性の高いことを示す優先順位を設定した履歴情報を生成できる。この結果、本発明のコンテンツ表示装置は、ユーザが興味を持つ可能性の高いコンテンツの履歴情報を参照して、当該コンテンツを再表示できるという効果を奏する。
【００２９】
本発明に係るコンテンツ表示方法は、さらに、
コンテンツを表示する表示ステップと、当該表示したコンテンツを再表示する際の優先順位を設定した履歴情報を生成する生成ステップとを備え、当該履歴情報に基づき当該コンテンツを再表示するコンテンツ表示方法であって、上記コンテンツのジャンルを示す情報を取得する取得ステップと、上記コンテンツのジャンルを示す第１ジャンル情報を取得する第１取得ステップと、上記表示手段が上記コンテンツよりも過去に表示した他のコンテンツのジャンルを示す第２ジャンル情報を取得する第２取得ステップとをさらに備え、上記生成ステップは、上記第１ジャンル情報と上記第２ジャンル情報との比較結果に応じた係数を、上記コンテンツが選択されて表示されるごとに累計加算し、累計加算して得た累計値に基づいた上記優先順位を設定した上記履歴情報を生成することを特徴としている。
【００３０】
上記の構成によれば、本発明に係るコンテンツ情報管理装置と同様の作用効果を奏する。
【００３１】
本発明に係るコンテンツ表示装置は、さらに、
上記表示手段が表示する上記コンテンツに対する、視聴者の操作内容を検出する操作内容検出手段を備え、上記生成手段は、上記操作内容が所定の操作内容であるかを判定し、上記判定結果に基づき、生成する上記履歴情報を選択することが好ましい。
【００３２】
上記の構成によれば、コンテンツ表示装置は、コンテンツに対して、視聴者が所定の操作内容を行った場合、当該コンテンツの履歴情報を生成する。この所定の操作内容を、視聴者が興味をもった可能性の高い操作内容とすると、コンテンツ表示装置は、視聴者が興味をもった可能性の高いコンテンツの履歴情報を生成する。一般に、コンテンツに対して、視聴者が、コンテンツの情報を記憶することを指示する操作や、コンテンツ内容（番組情報）を表示する操作や、音量を大きくする操作が行った場合、以上の操作が行われたコンテンツは、視聴者が興味をもった可能性が高いコンテンツである。
【００３３】
したがって、コンテンツ表示装置は、コンテンツに対して、上記のような、視聴者が興味をもつことを示す操作を行った場合に、当該コンテンツの履歴情報を生成する。この結果、コンテンツ表示装置は、視聴者が興味をもった可能性の高い、有用なコンテンツの履歴情報を生成できる。
【００３４】
本発明に係るコンテンツ表示装置は、さらに、
現在表示可能なコンテンツを検出する表示可能コンテンツ検出手段を備え、上記生成手段は、生成した上記履歴情報のコンテンツと、現在表示可能なコンテンツとを比較し、上記履歴情報のコンテンツが、現在表示可能なコンテンツに一致しない場合、一致しないコンテンツの履歴情報を削除することが好ましい。
【００３５】
上記の構成によれば、コンテンツ表示装置は、生成した履歴情報に対応するコンテンツを再表示する際、当該コンテンツが現在表示可能なコンテンツかどうかを判定し、さらに、現在表示可能なコンテンツを再表示することができる。
【００３６】
（プログラムおよび記録媒体）
なお、上記コンテンツ表示装置は、コンピュータによって実現してもよい。この場合、コンピュータを上記各手段として動作させることにより上記コンテンツ表示装置をコンピュータにおいて実現するコンテンツ表示プログラム、およびそのコンテンツ表示プログラムを記録したコンピュータ読み取り可能な記録媒体も、本発明の範疇に入る。
【発明の効果】
【００３７】
本発明のコンテンツ情報管理装置は、以上のように、コンテンツを表示する表示手段と、当該表示したコンテンツを再表示する際の優先順位を設定した履歴情報を生成する生成手段とを備え、当該履歴情報に基づき当該コンテンツを再表示するコンテンツ表示装置であって、上記表示手段が表示した上記コンテンツの、視聴者によって選択されたときの選択方法を検出する検出手段と、上記コンテンツの表示時間を測定する測定手段とをさらに備え、上記生成手段は、上記選択方法に応じた係数を上記表示時間に乗算した乗算値に基づいた上記優先順位を設定した履歴情報を生成する。したがって、視聴者が興味を持つ可能性の高いコンテンツの履歴情報を参照して、当該コンテンツを再表示できる。
【発明を実施するための最良の形態】
【００３８】
以下、本発明に係る実施の形態を図面に基づいて説明する。
【００３９】
〔実施形態１〕
本発明の第１の実施形態について、図１〜図９を参照して以下に説明する。
【００４０】
（表示モード）
本実施形態における履歴管理装置を搭載するコンテンツ表示装置は、１つの親画面と複数の子画面によって、複数のコンテンツを同時にディスプレイに表示する、多画面表示に対応する表示装置である。よって、コンテンツ表示装置は、表示モードを１画面表示モードまたは多画面表示モードに切り替える機能を有する。
【００４１】
ここで、１画面表示モードと多画面表示モードについて、図２および図３を参照して以下に説明する。図２は、１画面表示モードにおける、コンテンツの映像を表示する表示ディスプレイを示す説明図である。また、図３は、多画面表示モードにおける、コンテンツの映像を表示している表示ディスプレイを示す説明図である。１画面表示モードは、図２に示すように、視聴者によって現在選択されている１つのコンテンツの映像を、親画面として表示ディスプレイに表示している。一方、多画面表示モードは、図３に示すように、視聴者によって現在選択されている１つのコンテンツ映像を親画面とし、過去に親画面に表示した複数のコンテンツの映像を、各子画面６０２〜６０４として、同時に表示ディスプレイに再表示している。
【００４２】
（コンテンツ表示装置１６０の構成）
次に、図１を参照して、本発明の履歴管理装置１１０を搭載するコンテンツ表示装置１６０の構成について説明する。図１は、履歴管理装置１１０を搭載するコンテンツ表示装置１６０の構成を示すブロック図である。
【００４３】
本実施形態における履歴管理装置１１０を搭載するコンテンツ表示装置１６０は、１つの親画面と複数の子画面によって、複数のコンテンツを同時にディスプレイに表示する、多画面表示に対応する表示装置である。よって、コンテンツ表示装置１６０は、表示モードを１画面表示モードまたは多画面表示モードに切り替える機能を有する。なお、１画面表示モードとは、視聴者が選択した１つのコンテンツを親画面としてディスプレイに表示するものであり、多画面表示モードとは、１つのコンテンツを親画面に、その他複数のコンテンツを子画面に表示し、親画面と子画面とを同時にディスプレイに表示するものである。
【００４４】
同図に示すように、コンテンツ表示装置１６０は、コンテンツ表示装置１６０に対する視聴者の操作指示を受けるユーザインターフェイス部１４０と、ユーザインターフェイス部１４０からの操作信号を解析する操作判別部１３０（検出手段、操作内容検出手段）と、テレビ放送電波を受信するチューナー（図示しない）およびコンテンツ再生装置（図示しない）からの映像信号を取得する映像信号発生部１２０と、映像信号を表示する表示部１５０と、映像信号発生部１２０からの映像信号を、操作判別部１３０からの操作信号に基づき、表示部１５０に出力する履歴管理装置１１０とを備えている。
【００４５】
（履歴管理装置１１０の構成）
次に、履歴管理装置１１０の構成を、同図を参照して以下に説明する。まず、履歴管理装置１１０は、映像信号発生部１２０に対して、コンテンツ切り替え命令信号を出力するコンテンツ切替制御部１１７と、過去に表示されたコンテンツの履歴を管理する履歴管理制御部１１１（生成手段、表示可能コンテンツ検出手段）と、各コンテンツの親画面における表示時間を測定するタイマカウンタ部１１２（測定手段）と、コンテンツ切り替え後のコンテンツのソース情報およびチャンネル情報を記憶する、コンテンツ情報記憶部１１８（第１取得手段、第２取得手段）と、履歴管理制御部１１１からの指示に基づき、コンテンツの履歴情報を生成する履歴情報生成部１１３と、生成された履歴情報を記憶する履歴情報記憶部１１４と、複数のコンテンツを親画面および子画面に表示した合成映像を生成する多画面映像合成部１１５と、１画面表示と多画面表示とを切り替えるスイッチ１１６とを備えている。
【００４６】
（履歴管理装置１１０の動作）
次に、履歴管理装置１１０における動作について、図４を参照して以下に説明する。図４は、履歴管理装置１１０における、コンテンツの表示およびコンテンツの履歴情報の管理方法を示すフローチャート図である。
【００４７】
まず、コンテンツ表示装置１６０の電源が投入されることにより、履歴管理装置１１０に電源が入る（ステップ３０１：以下、Ｓ３０１と略称する）。次に、電源投入直後においては、履歴管理制御部１１１は、スイッチ１１６を制御し、表示モードを１画面表示モードに設定する。さらに前回の電源終了時に表示していたチャンネル情報を、コンテンツ切替制御部１１７は、コンテンツ情報記憶部１１８より読み出す。読み出したチャンネル情報を、コンテンツ切替制御部１１７は、映像信号発生部１２０に出力することにより、電源投入直後の親画面に表示するコンテンツを選択することになる。
【００４８】
なお、１画面表示モードは、履歴管理制御部１１１が、表示モード切替信号を表示モード切替スイッチ１１６に出力し、表示モード切替スイッチ１１６が切り替わることにより設定される。具体的には、図１に示すように、１画面表示モードに設定するための、表示モード切替信号を入力した表示モード切替スイッチ１１６は、多画面映像合成部１１５を介さず、映像信号発生部１２０からの映像信号を入力する側に切り替わる。よって、映像信号発生部１２０からの映像信号は、表示モード切替スイッチ１１６を介して、表示部１５０に出力される。さらに、履歴管理制御部１１１が選択したコンテンツの映像を、親画面に表示開始すると、表示開始したコンテンツの映像ソース種別（例えば、ＢＳデジタル放送や、地上デジタル放送）、および、チャンネル情報（例えば、６チャンネル）を、コンテンツ情報記憶部１１８がコンテンツ切替制御部１１７より取得し記憶する（Ｓ３０２）。
【００４９】
次に、履歴管理制御部１１１は、タイマカウンタ１１２が測定している、現在表示中のコンテンツの表示時間の情報をリセットする（Ｓ３０３）。なお、タイマカウンタ１１２は、リセットされた時刻からの経過時間を測定し保持するものである。
【００５０】
次に、操作判別部１３０へ、ユーザインターフェイス部１４０が、視聴者の操作指示を示す操作指示信号を入力する。操作判別部１３０は、入力された操作指示信号より、視聴者の操作指示の内容を検出する（Ｓ３０４）。操作判別部１３０は、検出した操作指示内容を示す信号を、履歴管理制御部１１１およびコンテンツ切替制御部１１７に出力する。
【００５１】
ここで、操作判別部１３０からの操作指示内容を示す信号が、コンテンツを切り替える指示を示す信号であった場合、コンテンツ切替制御部１１７は、コンテンツを切り替えるための命令を、映像信号発生部１２０に出力する。さらに、コンテンツ切替制御部１１７は、切り替え後のコンテンツのチャンネル情報、およびその選択方法（例えば、ダイレクト選局、順送り選局など）の情報を、コンテンツ情報記憶部１１８に出力する。さらに、コンテンツ情報記憶部１１８は、コンテンツ切替制御部１１７からのチャンネル情報および選択方法を示す情報を記憶する。
【００５２】
一方、履歴管理制御部１１１は、入力した操作指示内容を示す信号に基づき、履歴情報保存処理を行う（Ｓ３０５）。なお、この履歴情報保存処理とは、親画面に表示されたコンテンツごとの映像を履歴情報として、履歴情報記憶部１１４に記憶する処理である。
【００５３】
（表示時間による履歴情報保存処理）
以下に、図５を参照して、本実施形態における履歴情報保存処理を詳細に説明する。図５は、履歴情報保存処理の詳細な処理手順を示すフローチャート図である。
【００５４】
本実施形態における履歴情報保存処理は、親画面に表示された各コンテンツ映像の表示時間を指標として、各コンテンツの履歴情報に、子画面に当該コンテンツを再表示する際の優先順位を設定し、優先順位が設定された履歴情報を、履歴情報記憶部１１４に記憶するものである。
【００５５】
同図に示すように、まず、履歴管理制御部１１１は、現在親画面に表示中のコンテンツについて、このコンテンツが選択されたときの選択方法（例えば、ダイレクト選局、順送り選局など）の情報を、コンテンツ情報記憶部１１８より取得する。さらに、履歴管理制御部１１１は、取得した選択方法の情報に基づき、自身が備えるテーブルより重み係数（係数）を決定する（Ｓ８０１）。この重み係数は、現在表示中のコンテンツに対する、視聴者の関心の高さを示すものである。例えば、現在表示中のコンテンツが、電子番組表から選択された場合は重み係数を３に、ダイレクト選局によって選択された場合は重み係数を２に、順送り選局により選択された場合は重み係数を１にしてもよい。
【００５６】
さらに、履歴管理制御部１１１は、現在表示中のコンテンツに対する、電子番組表より取得できる、ジャンルを示す情報に基づいて重み係数を決定してもよい。具体的には、履歴管理制御部１１１が、現在表示中のコンテンツのジャンルを示す情報を、コンテンツ情報記憶部１１８より取得する。なお、現在表示中のコンテンツのジャンルを示す情報は、予め、コンテンツ情報記憶部１１８が、コンテンツ表示装置１６０が搭載する図示しないコンテンツ情報取得部より取得し記憶している。次に、履歴管理制御部１１１は履歴情報記憶部１１４より、過去に表示されたコンテンツの履歴情報のうち、後述する優先順位が上位（例えば、上位３つ）の履歴情報のコンテンツのジャンルを取得する。さらに履歴管理制御部１１１は、取得した現在表示中のコンテンツのジャンルと、優先順位が上位の各コンテンツのジャンルとを比較する。ここで、現在表示中のコンテンツのジャンルが、上位の各コンテンツのジャンルのうち、１つでも同一のジャンルとなる場合は、重み係数を２にし、１つも同じジャンルとならない場合は、重み係数を１にしてもよい。なお、上記の電子番組表は、放送電波に含まれるＥＰＧ（Ｅｌｅｃｔｒｏｎｉｃ  Ｐｒｏｇｒａｍ  Ｇｕｉｄｅ）データより、コンテンツ表示装置１６０が搭載する図示しないコンテンツ情報取得部が取得する。
【００５７】
また、重み係数を算出する際に、履歴管理制御部１１１は、上述したコンテンツが選択されたときの選択方法の情報と、コンテンツのジャンルを示す情報とを併用して算出してもよい。具体的には、履歴管理制御部１１１が、コンテンツが選択された選択方法より決定した重み係数に、コンテンツのジャンルを示す情報より決定した重み係数を加算または乗算し、優先順位をつける際に用いる重み係数を算出してもよい。
【００５８】
次に、履歴管理制御部１１１は、履歴情報を生成する命令を履歴情報生成部１１３に出力する。ここで、履歴管理制御部１１１より履歴情報を生成する命令を入力された履歴情報生成部１１３は、現在表示中のコンテンツの映像ソース種別（アナログ地上波、デジタル地上波、ＣＳ放送等）、チャンネル情報、およびコンテンツ内容を示す情報を、コンテンツ情報記憶部１１８より取得し、さらに、現在表示中のコンテンツの映像を、映像信号発生部１２０より取得する。なお、コンテンツ情報記憶部１１８は、コンテンツ内容を示す情報を、コンテンツ情報取得部が放送信号より抽出した電子番組表より取得し記憶している。
【００５９】
また、履歴管理制御部１１１は、タイマカウンタ１１２より取得した、現在表示中のコンテンツの表示時間に、Ｓ８０１において決定した重み係数を乗算し、表示時間ポイントを算出する。ここで、現在表示中のコンテンツの履歴情報が、履歴情報記憶部１１４に記憶されている場合、履歴管理制御部１１１は、現在表示中のコンテンツの累計表示時間ポイントを、履歴情報記憶部１１４より取得し、新たに算出した表示時間ポイントを、累計表示時間ポイントに加算する。さらに、履歴管理制御部１１１は、加算後の累計表示時間ポイントを履歴情報生成部１１３に出力する。一方、現在表示中のコンテンツの履歴情報が、履歴情報記憶部１１４に記憶されていない場合、履歴管理制御部１１１は、算出した表示時間ポイントを、累計表示時間ポイントとして、履歴情報生成部１１３に出力する（Ｓ８０２）。なお、現在表示中のコンテンツの履歴情報が、履歴情報記憶部１１４に記憶されているかどうかは、履歴管理制御部１１１が、履歴情報記憶部１１４より履歴情報を読み出し、各履歴情報のコンテンツ内容と、現在表示中のコンテンツの内容とを比較することにより、履歴管理制御部１１１は判断できる。
【００６０】
次に、履歴管理制御部１１１は、現在の時刻を図示しないタイマより取得し、最終表示時刻情報として履歴情報生成部１１３に出力する。ここで、履歴情報生成部１１３は、現在表示中の、履歴管理制御部１１１からの累計表示時間ポイント、最終表示時刻情報と、コンテンツ情報記憶部１１８からの映像ソース種別、チャンネル情報およびコンテンツ内容を示す情報と、映像信号発生部１２０からの現在表示中のコンテンツ映像とを、履歴情報として、履歴情報記憶部１１４に出力する。これにより、履歴情報記憶部１１４は、現在表示中のコンテンツの履歴情報を、自身に記憶することになる（Ｓ８０３）。
【００６１】
次に、履歴管理制御部１１１は、履歴情報記憶部１１４より各コンテンツの履歴情報を読み出し、読み出した各履歴情報のうち、最終表示時刻におけるコンテンツの内容と、現在表示可能なコンテンツの内容とが異なるものがあれば、履歴管理制御部１１１は、そのコンテンツの累計表示時間ポイントを０にする（Ｓ８０４）。具体的には、履歴管理制御部１１１は、コンテンツ情報記憶部１１８を介して、コンテンツ情報取得部が取得した電子番組表より、現在の各コンテンツの内容を示す情報を取得する。履歴管理制御部１１１は、各履歴情報のコンテンツ内容と、電子番組表からの各コンテンツ内容とを比較し、同映像ソースかつ同チャンネルにおいて、コンテンツ内容が異なるかを判定する。これにより、履歴情報の最終表示時刻におけるコンテンツの内容と、現在表示可能なコンテンツの内容とが異なるかどうかを判定することができる。この処理は、例えばテレビの各チャンネルにおいて、現在放送されている番組について累計表示時間ポイントを有効にする処理であり、すでに視聴できなくなった過去の番組については、履歴情報の優先順位に影響を及ぼさないようにするためである。さらに、履歴管理制御部１１１は、累計表示ポイントを０にした履歴情報を、履歴情報記憶部１１４より削除してもよい。
【００６２】
次に、履歴管理制御部１１１は、履歴情報記憶部１１４より読み出した各履歴情報の累計表示時間ポイントより、累計表示時間ポイントが高い順に優先順位を求める。さらに、履歴管理制御部１１１は、求めた各履歴情報の優先順位を履歴情報記憶部１１４に出力する（Ｓ８０５）。
【００６３】
ここで、Ｓ８０１〜８０５において、生成および記憶した、履歴情報記憶部１１４が記憶する履歴情報の一例を、図７を参照して説明する。図７は、履歴情報記憶部１１４が記憶する履歴情報の一例を示す説明図である。同図に示すように、この例においては、「地上Ｄ」の「チャンネル１」のコンテンツが、最も高い累計表示ポイントとなるため、優先順位が１位となっている。
【００６４】
なお、上述の例では各コンテンツが親画面に表示された表示時間に重み付けを行い、累計表示時間ポイントに基づいて、履歴情報に優先順位をつける構成を説明したが、さらなる構成として、操作判別部１３０からの操作信号が、コンテンツの切り替えを要求する信号であった場合、現在表示中のコンテンツの表示時間が所定の閾値Ｔｓより長い場合に、履歴情報に残す構成としてもよい。この場合、履歴管理制御部１１１は、現在表示中のコンテンツの表示時間が所定の閾値Ｔｓより長い場合に、履歴情報生成部１１３に対して、履歴情報を生成する命令を出力することになる。さらに、前述の閾値Ｔｓを状況によって変化させる構成としてもよい。例えば、直近の切り替え前コンテンツが番組表から選択された場合は閾値Ｔｓを２０秒に、直近の切り替え前コンテンツがダイレクト選局により選択された場合は閾値Ｔｓを１０秒に、直近の切り替え前コンテンツが順送り選局により選択された場合は、閾値Ｔｓを５秒にする方法であってもよい。これにより、例えばリモコン操作においてチャンネルを順送りで素早く切り替え続ける間はその履歴を残さず、興味を持って所定時間Ｔｓ以上継続表示したコンテンツだけを履歴に残すことができる。またこのときの履歴情報は、最新の数個だけを保持する構成であってもよく、最新の３個を保持する場合の例を図６に示す。また別の例として、現時点から所定の時間以内の過去（例えば過去６０分間）において各コンテンツが親画面に表示された時間を指標として履歴情報に順位をつける構成であってもよい。
【００６５】
次に、図６を参照して、履歴情報記憶部１１４における、履歴情報の記憶処理について説明する。図６は、履歴情報記憶部１１４における、履歴情報の記憶処理方法を示す説明図である。
【００６６】
まず、履歴情報記憶部１１４は、履歴情報生成部１１３より入力した全ての履歴情報を、内部管理用履歴情報として、自身の内部メモリに記憶する記憶領域１１４ｄを有している。この内部管理用履歴情報とは、前述の図７や、後述の図１１に示す情報である。さらに、履歴情報記憶部１１４は、内部管理用履歴情報のうち、優先順位が高い履歴情報を抽出し、表示用履歴情報として別途記憶するための記憶領域を有している。例えば図６に示すように、履歴情報記憶部１１４は、優先順位が高い３つの履歴情報を、内部管理用履歴情報から抽出し、さらに、抽出した表示用履歴情報が記憶される記憶領域１１４ａ〜１１４ｃを、履歴情報記憶部１１４は有している。この表示用履歴情報とは、コンテンツ表示装置１６０において多画面表示する際の、子画面に表示する履歴情報である。各表示用履歴情報は、例えば同図の表示履歴情報Ａのように、識別子が「Ａ」、映像ソース種別が「地上デジタル放送」、チャンネル情報が「１ｃｈ」、子画面表示データが「静止画データａ」といった情報が記憶される。識別子とは後述する履歴選択操作の際にどの履歴であるかを識別するための情報であり、映像ソース種別とは表示用履歴情報Ａのコンテンツの映像ソース種別（地上デジタル放送、ＢＳデジタル放送、など）であり、チャンネル情報は表示用履歴情報Ａのコンテンツのチャンネルを示す。子画面表示データは、表示用履歴情報Ａのコンテンツの内容を、多画面表示における子画面に表示するときに用いるためのデータである。ここで、子画面表示データは、履歴管理制御部１１１において、表示時間が所定の閾値Ｔｓ以上と判定された時点のコンテンツ映像の静止画（例えばＪＰＥＧ形式のデータ）としている。
【００６７】
なお前述の表示用履歴情報の内容は一例であって、例えば他の例として、電子番組表などから取得した番組情報（文字列データ）を子画面表示データとしてよい。さらに別の例として、親画面において表示した数秒間分の映像の動画データであってもよい。また、前述の表示用履歴情報は、内部管理用履歴情報において、新しく記憶した順に履歴情報Ａ、履歴情報Ｂ、履歴情報Ｃとして保存する構成であってもよい。さらに、この履歴情報記憶部１１４には、履歴情報が３つ以上記憶される前は、１１４ｃに示すようにまだ情報がないことを表すデータ（例えば「未記憶」）をセットしておく。
【００６８】
次に、図４におけるＳ３０６の処理を説明する。Ｓ３０６においては、履歴情報記憶部１１４に記憶した履歴情報を消去する処理を行う。Ｓ３０６の目的は、現時点において有用性の低い履歴情報を消去するための処理である。このＳ３０６における詳細な動作処理を、図８を参照して以下に説明する。図８は、履歴情報記憶部１１４が記憶した履歴情報を消去する処理を示すフローチャート図である。
【００６９】
まず、Ｓ３０４（図４参照）における操作指示が、コンテンツの履歴を削除する指示であるかどうかを、履歴管理制御部１１１は、操作判別部１３０から操作信号より判定する（Ｓ１００１）。ここで、履歴管理制御部１１１が、操作判別部１３０からの操作信号が、履歴を削除する信号であると判定した場合は、処理をＳ１００２に移行する。例えば、視聴者が図９に示すリモートコントローラを用いて、同図に示す履歴削除キー４０５を押した場合に、履歴管理制御部１１１は、処理をＳ１００１からＳ１００２に移行する。Ｓ１００２においては、履歴管理制御部１１１は、現在表示中のコンテンツの履歴情報を履歴情報記憶部１１４より削除し、Ｓ１００３に処理を移行する。
【００７０】
一方、Ｓ１００１において、履歴管理制御部１１１が、操作判別部１３０からの操作信号が、履歴を削除する信号ではないと判定した場合、処理をＳ１００３に移行する。Ｓ１００３においては、履歴管理制御部１１１は、履歴情報記憶部１１４より各履歴情報の最終表示時刻を読み出す。さらに履歴管理制御部１１１は、読み出した各履歴情報の最終表示時刻と、図示しないタイマから読み出した現在の時刻とから、最終表示時刻から現時点の時刻までの時間を算出する。その後、履歴管理制御部１１１は、算出した最終表示時刻から現時点の時刻までの時間が時間Ｔｄ以上となっている履歴情報について、履歴情報記憶部１１４より削除する。これは、例えば前述の図７の履歴情報のうち、最終表示時刻が現時点の時刻よりも時間Ｔｄ以上過去となるものについては、累計表示時間ポイント、ジャンル情報、最終表示時刻、および優先順位の各情報を消去する。なお、ここでの所定時間Ｔｄは固定の値（例えば３０分）としてもよいが、累計表示時間ポイントに応じて変化させてもよく、例えば、累計時間ポイントが１００以上であればＴｄを６０分に、累計時間ポイントが１００未満であればＴｄを２０分にというようにすると、有用な履歴情報ほど長時間保持することも可能である。以上が、図４におけるＳ３０６の処理となる。
【００７１】
次に、図４におけるＳ３０７以降の動作処理について以下に説明する。Ｓ３０７において、履歴管理制御部１１１は、コンテンツ表示装置が表示する表示モードが、多画面表示モードであり、かつ、履歴選択操作があったかを判定する。コンテンツ表示装置が表示する表示モードが、多画面表示モードであるかどうかの判定は、履歴管理制御部１１１が、操作判別部１３０からの操作信号より、コンテンツ表示装置の状態を、自身の内部に備えるレジスタに記憶していることにより可能となる。
【００７２】
この履歴選択操作とは、例えば図９の履歴選択キー４０１，４０２，４０３を視聴者が押すことにより、多画面表示モードにおける子画面に履歴として表示されているコンテンツを選択する操作である。Ｓ３０７における判定結果は、コンテンツ表示装置における表示モードが多画面表示モードであり、かつ、履歴管理制御部１１１が、操作判別部１３０より履歴選択キーを視聴者が押したことを示す操作信号を入力したときに真となり、動作処理はＳ３０８に移行する。一方、Ｓ３０７における判定結果が偽のとき、動作処理はＳ３０９に移行する。
【００７３】
次に、Ｓ３０８において、履歴管理制御部１１１は、履歴情報記憶部１１４に記憶された表示用履歴情報の中から、履歴選択キーを押して視聴者が選択した、表示用履歴情報の映像ソース種別およびチャンネル情報を履歴情報記憶部１１４から取得し、切替後コンテンツを決定する。
【００７４】
次に、Ｓ３０９において、履歴管理制御部１１１は、Ｓ３０４における操作判別部１３０からの信号が、コンテンツ切替の操作を示す信号であるかどうかを判定する。ここで、履歴管理制御部１１１が、操作判別部１３０からの信号を、コンテンツ切替の操作を示す信号と判定した場合、動作処理はＳ３１０に移行する。一方、履歴管理制御部１１１が、操作判別部１３０からの信号を、コンテンツ切替以外の操作を示す信号と判定した場合、動作処理はＳ３１５に移行する。
【００７５】
次に、Ｓ３１０においては、履歴管理制御部１１１は、履歴情報記憶部１１４より履歴情報を読み出し、履歴情報記憶部１１４が履歴情報を記憶しているかを判定する。このＳ３１０において、履歴管理制御部１１１が履歴情報記憶部１１４に履歴情報が記憶されていると判定した場合、動作処理はＳ３１１に移行する。一方、Ｓ３１０において、履歴管理制御部１１１が履歴情報記憶部１１４に履歴情報が記憶されていないと判定した場合、動作処理はＳ３１４に移行する。
【００７６】
次に、Ｓ３１１においては、履歴管理制御部１１１は、自身のレジスタに記憶したコンテンツ表示装置の表示モードの情報を読み出し、現在のコンテンツ表示装置における表示モードが、多画面表示モードであるかを判定する。ここで、履歴管理制御部１１１が、現在のコンテンツ表示装置の表示モードが多画面表示モードであると判定した場合、動作処理はＳ３１３に移行する。
【００７７】
一方、Ｓ３１１において、履歴管理制御部１１１が、現在のコンテンツ表示装置の表示モードが１画面表示モードであると判定した場合、履歴管理制御部１１１は、コンテンツ表示装置の表示モードを多画面表示モードに切り替える信号を、表示モード切替スイッチ１１６に出力する。その結果、表示モード切替スイッチ１１６は、図１の下側の端子、言い換えれば、多画面映像合成部１１５の出力側の端子に切り替え、表示モードを多画面表示モードに切り替える。これにより、履歴管理装置１１０は、多画面映像合成部１１５が生成する合成画面の映像信号を、表示部１５０に出力することになる。（Ｓ３１２）
さらに、Ｓ３１３においては、多画面映像合成部１１５は、履歴情報記憶部１１４が記憶する表示用履歴情報を読み出す。さらに多画面映像合成部１１５は、読み出した各表示用履歴情報の子画面表示データの映像を、図３に示す子画面６０２〜６０４に配置し、映像信号発生部１２０からの映像信号を、図３に示す親画面６０１に配置する。多画面映像合成部１１５は、配置した親画面６０１と子画面６０２〜６０４とを合成した映像信号を、表示モード切替スイッチ１１６を介して、表示部１５０に出力する。
【００７８】
次に、Ｓ３０７における履歴管理制御部１１１が判定した判定結果が真の場合、履歴管理制御部１１１は、Ｓ３０８において自身が履歴情報制御部１１４より取得した映像ソース種別およびチャンネル情報を、コンテンツ切替を指示する信号として、コンテンツ切替制御部１１７に出力する。一方、Ｓ３０７における履歴管理制御部１１１が判定した判定結果が偽の場合、コンテンツ切替制御部１１７は、操作判別部１３０より、コンテンツの切替を指示する操作信号を入力する。コンテンツ切替制御部１１７は、履歴管理制御部１１１または操作判別部１３０からの、コンテンツ切替を指示する信号を入力した後、映像信号発生部１２０における、映像信号として出力するコンテンツを切り替える（Ｓ３１４）。ここで、コンテンツ切替制御部１１７は、切替後のコンテンツが選択されたときの選択方法の情報を操作判別部１３０より入力し、この選択方法の情報を、コンテンツ情報記憶部１１８に出力する。さらにコンテンツ情報記憶部１１８は、コンテンツ切替制御部１１７より入力した選択方法の情報を記憶する。これにより、Ｓ８０１において、履歴管理制御部１１１が、重み係数を決定する際に用いる、選択方法の情報を取得することができる。
【００７９】
また、コンテンツ切り替わり後の映像信号発生部１２０からの映像信号は、図２に示す１画面表示モードの場合は、コンテンツ表示装置１６０によって全画面表示される。一方、図３に示す多画面表示モードの場合、コンテンツ切り替わり後の映像信号発生部１２０からの映像信号は、多画面映像合成部１１５に入力され、多画面映像合成部１１５が、映像信号発生部１２０から入力した映像信号を元に、縦横２／３に縮小して親画面６０１上に配置し表示開始する。なお、多画面映像合成部１１５における、親画面および子画面の表示構成は一例であり、親画面および子画面の表示サイズや表示画面上の配置方法については、これに限るものではない。
【００８０】
さらに、コンテンツ切替制御部１１７は、映像信号発生部１２０におけるコンテンツを切り替えた後、切り替え後のコンテンツの映像ソース種別およびチャンネル情報を、コンテンツ情報記憶部１１８に出力する。さらに、コンテンツ切替制御部１１７より、映像ソース種別およびチャンネル情報を入力したコンテンツ情報記憶部１１８は、親画面に表示中のコンテンツの情報として、入力した映像ソース種別およびチャンネル情報を自身に記憶する。
【００８１】
次に、図４におけるＳ３１５以降の動作処理について以下に説明する。Ｓ３１５においては、履歴管理制御部１１１が、現在表示中のコンテンツの表示時間を、タイマカウンタ１１２より取得し、この表示時間が時間Ｔｗ以上かどうかを判定する。さらに、履歴管理制御部１１１は、自身のレジスタに記憶したコンテンツ表示装置の表示モードの情報を読み出し、現在のコンテンツ表示装置における表示モードが、多画面表示モードであるかを判定する。ここで、履歴管理制御部１１１が、現在表示中のコンテンツの表示時間を時間Ｔｗ以上であると判定し、かつ、現在のコンテンツ表示装置の表示モードを多画面表示モードと判定した場合、動作処理はＳ３１６に移行する。一方、Ｓ３１５において、履歴管理制御部１１１が、現在表示中のコンテンツの表示時間を時間Ｔｗ未満であると判定した場合、または、現在のコンテンツ表示装置の表示モードを１画面表示モードと判定した場合は、動作処理はＳ３１７に移行する。
【００８２】
Ｓ３１６においては、履歴管理制御部１１１は、表示モードを１画面表示モードに切り替える信号を、表示モード切替スイッチ１１６に出力し、表示モードを１画面表示モードに切り替える。上述したＳ３１５およびＳ３１６の動作処理を行うことにより、親画面に表示されるコンテンツが、多画面表示において時間Ｔｗ以上経過した場合に、自動的に表示モードを１画面表示モードに切り替えることとなる。なお、上述の時間Ｔｗは、時間Ｔｓよりも大きい値となるものとする。
【００８３】
次に、Ｓ３１７においては、操作判別部１３０からの操作信号を、コンテンツ表示装置１６０の電源をオフする信号であると、履歴管理制御部１１１が判定した場合、動作処理をＳ３１８に移行する。一方、Ｓ３１７において、履歴管理制御部１１１が、操作判別部１３０からの操作信号を、コンテンツ表示装置１６０の電源をオフする以外の信号と判定した場合は、動作処理はＳ３０４に移行する。また、Ｓ３１８においては、操作判別部１３０は、コンテンツ表示装置１６０が備える図示しない動作制御部に、電源をオフする指示を示す信号を出力し、コンテンツ表示装置１６０は、自身の電源をオフする。さらに、コンテンツ表示装置１６０の電源がオフとなることにより、履歴管理装置１１０における動作処理も終了する。
【００８４】
〔実施形態２〕
本発明の第２の実施形態について、図１０を参照して以下に説明する。
【００８５】
第２の実施形態は、第１の実施形態の変形例となる。具体的には、第１の実施形態においては、Ｓ３０５の履歴情報保存処理にて、コンテンツの表示時間を指標として、履歴情報に優先順位を付与していたが、第２の実施形態は、コンテンツの表示回数を指標として、履歴情報に優先順位を付与するものである。なお、第２の実施形態においては、第１の実施形態と異なる動作処理について説明し、重複する動作処理については、第１の実施形態と同様であるため、その説明を省略する。したがって、以下に、第１の実施形態における図５に示すＳ８０１〜Ｓ８０５の動作処理に代わる、図１０に示すＳ１１０１〜Ｓ１１０６について説明する。
【００８６】
まず、履歴管理制御部１１１は、Ｓ３０４の操作判別部１３０からの操作信号が、コンテンツ切替を指示する操作信号かどうかを判定する（Ｓ１１０１）。なお、Ｓ１１０１におけるコンテンツ切替を指示する操作信号としては、操作判別部１３０より、視聴者が選局操作によってコンテンツ切替を指示したことを示す操作信号と、視聴者が履歴選択装置によってコンテンツ切替を指示したことを示す操作信号とがある。次に、履歴管理制御部１１１が、操作判別部１３０からの操作信号を、コンテンツ切替を指示する操作信号であると判定した場合、動作処理はＳ１１０２に移行する。一方、履歴管理制御部１１１が、操作判別部１３０からの操作信号を、コンテンツ切替を指示する操作信号ではないと判定した場合、動作処理はＳ１１０５に移行する。
【００８７】
次に、Ｓ１１０２においては、履歴管理制御部１１１は、現在表示中のコンテンツについて、このコンテンツが選択されたときの選択方法の情報を、コンテンツ情報記憶部１１８より取得し、取得した選択方法の情報に基づき、重み係数を決定する。また、履歴管理制御部１１１は、現在表示中のコンテンツのジャンルを示す情報を、コンテンツ情報記憶部１１８より取得し、取得したジャンルを示す情報に基づき、重み係数を決定する。ここで、Ｓ１１０２における履歴管理制御部１１１が重み係数を決定する動作処理は、第１の実施形態におけるＳ８０１と同様の動作処理であるため、ここでは詳細な説明は省略する。
【００８８】
次に、履歴管理制御部１１１は、履歴情報を生成する命令を履歴情報生成部１１３に出力する。ここで、履歴管理制御部１１１より履歴情報を生成する命令を入力した履歴情報生成部１１３は、現在表示中のコンテンツの映像ソース種別（アナログ地上波、デジタル地上波、ＣＳ放送等）、チャンネル情報、およびコンテンツ内容を示す情報を、コンテンツ情報記憶部１１８より取得し、さらに、現在表示中のコンテンツの映像を、映像信号発生部１２０より取得する。
【００８９】
また、履歴管理制御部１１１は、１にＳ１１０２において決定した重み係数を乗算し、表示回数ポイントを算出する。ここで、現在表示中のコンテンツの履歴情報が、履歴情報記憶部１１４に記憶されている場合、履歴管理制御部１１１は、現在表示中のコンテンツの累計表示回数ポイントを、履歴情報記憶部１１４より取得し、新たに算出した表示回数ポイントを、累計表示回数ポイントに加算する。さらに、履歴管理制御部１１１は、加算後の累計表示回数ポイントを履歴情報生成部１１３に出力する。一方、現在表示中のコンテンツの履歴情報が、履歴情報記憶部１１４に記憶されていない場合、履歴管理制御部１１１は、算出した表示回数ポイントを、累計表示回数ポイントとして、履歴情報生成部１１３に出力する（Ｓ１１０３）。なお、現在表示中のコンテンツの履歴情報が、履歴情報記憶部１１４に記憶されているかどうかは、履歴管理制御部１１１が、履歴情報記憶部１１４より履歴情報を読み出し、各履歴情報のコンテンツ内容と、現在表示中のコンテンツの内容とを比較することにより、履歴管理制御部１１１は判断している。
【００９０】
次に、履歴管理制御部１１１は、現在の時刻を図示しないタイマより取得し、最終表示時刻情報として履歴情報生成部１１３に出力する。ここで、履歴情報生成部１１３は、現在表示中のコンテンツの、履歴管理制御部１１１からの累計表示回数ポイント、最終表示時刻情報と、コンテンツ情報記憶部１１８からの映像ソース種別、チャンネル情報およびコンテンツ内容を示す情報と、映像信号発生部１２０からの現在表示中のコンテンツ映像とを、履歴情報として、履歴情報記憶部１１４に出力する。これにより、履歴情報記憶部１１４は、現在表示中のコンテンツの履歴情報を、自身に記憶することになる（Ｓ１１０４）。
【００９１】
次に、履歴管理制御部１１１は、履歴情報記憶部１１４より各コンテンツの履歴情報を読み出し、読み出した各履歴情報のうち、最終表示時刻におけるコンテンツの内容と、現在表示可能なコンテンツの内容とが異なるものがあれば、履歴管理制御部１１１は、そのコンテンツの累計表示回数ポイントを０にする（Ｓ１１０５）。なお、Ｓ１１０５における動作処理は、第１の実施形態のＳ８０４における累計表示時間ポイントを、累計表示回数ポイントを置き換えた動作処理と同様であるため、詳細な説明は省略する。
【００９２】
次に、履歴管理制御部１１１は、履歴情報記憶部１１４より読み出した各履歴情報の累計表示回数ポイントより、累計表示回数ポイントが高い順に優先順位を求める。さらに、履歴管理制御部１１１は、求めた各履歴情報の優先順位を履歴情報記憶部１１４に出力する（Ｓ１１０６）。
【００９３】
以上のＳ１１０１〜Ｓ１１０６の動作処理を、履歴管理装置１１０が行うことにより、コンテンツの表示回数に基づき、各履歴情報に対して、視聴者が興味を持った可能性の高さに基づき、優先順位を設定することができる。ここで、図１１に、履歴情報記憶部１１４が記憶する、累計表示回数ポイントに基づき優先順位を付与された履歴情報の一例を示す。図１１は、第２の実施形態における、履歴情報記憶部１１４が記憶する履歴情報を示す説明図である。
【００９４】
同図に示すように、映像ソースが「地上Ｄ」かつチャンネルが「チャンネル１」となる、履歴情報の累計表示回数ポイントが最も高いため、履歴情報記憶部１１４は、この「地上Ｄ」かつ「チャンネル１」の履歴情報を、優先順位１位として記憶している。
【００９５】
なお、第２の実施形態においては、各コンテンツが親画面に表示された回数を指標として履歴情報に優先順位をつける方法を説明したが、別の例として、現時点から所定の時間以内の過去（例えば過去６０分間）において、各コンテンツが親画面に表示された回数を指標として、履歴情報に優先順位をつける方法であってもよい。
【００９６】
〔実施形態３〕
本発明の第３の実施形態について、図１２を参照して以下に説明する。
【００９７】
第３の実施形態は、第２の実施形態と同様に、第１の実施形態の変形例となる。具体的には、第１の実施形態のＳ３０５における履歴情報保存処理について、第３の実施形態においては、視聴者のコンテンツ表示装置に対する操作内容に基づき、履歴情報記憶部１１４に履歴情報を記憶するかどうかを、履歴管理制御部１１１が判定している。なお、第３の実施形態においては、第１の実施形態と異なる動作処理について説明し、重複する動作処理については、第１の実施形態と同様であるため、その説明を省略する。したがって、ここでは、第１の実施形態における図５に示すＳ８０１〜Ｓ８０５の動作処理に代わる、図１２に示すＳ１３０２〜Ｓ１３０６の動作処理について説明する。
【００９８】
まず、Ｓ１３０１において、履歴管理制御部１１１は、操作判別部１３０からの操作信号が、現在表示中のコンテンツを履歴として残すことを指示する操作信号かどうかを判定する。ここで、履歴管理制御部１１１は、操作判別部１３０からの操作信号を、現在表示中のコンテンツを履歴として残すことを指示する操作信号であると判定した場合、自身の判定結果を真とし、動作処理はＳ１３０６に移行する。一方、履歴管理制御部１１１の判定結果が偽となる場合、動作処理はＳ１３０２に移行する。
【００９９】
次に、Ｓ１３０２において、履歴管理制御部１１１は、操作判別部１３０からの操作信号が、番組情報表示を行うことを指示する操作信号かどうかを判定する。なお、番組情報表示を行うとは、ＥＰＧデータに含まれる、画面に表示された番組に対する番組情報を表示することである。ここで、履歴管理制御部１１１は、操作判別部１３０からの操作信号を、番組情報表示を行うことを指示する操作信号と判定した場合、自身の判定結果を真とし、動作処理はＳ１３０６に移行する。一方、履歴管理制御部１１１の判定結果が偽となる場合、動作処理はＳ１３０３に移行する。
【０１００】
次に、Ｓ１３０３において、履歴管理制御部１１１は、操作判別部１３０からの操作信号が、コンテンツ表示装置から出力される音響の音量を大きくすることを指示する操作信号かどうかを判定する。ここで、履歴管理制御部１１１は、操作判別部１３０からの操作信号を、音響の音量を大きくすることを指示する操作信号と判定した場合、自身の判定結果を真とし、動作処理はＳ１３０６に移行する。一方、履歴管理制御部１１１の判定結果が偽となる場合、動作処理はＳ１３０４に移行する。
【０１０１】
次に、Ｓ１３０４において、履歴管理制御部１１１は、操作判別部１３０からの操作信号が、データ連動表示を行うことを指示する操作信号かどうかを判定する。なお、データ連動表示を行うとは、デジタル放送における、ニュース等の視聴中の番組に関連した情報を表示することである。ここで、履歴管理制御部１１１は、操作判別部１３０からの操作信号を、データ連動表示を指示する操作信号指示する操作信号と判定した場合、自身の判定結果を真とし、動作処理はＳ１３０６に移行する。一方、履歴管理制御部１１１の判定結果が偽となる場合、動作処理はＳ１３０４に移行する。
【０１０２】
次に、Ｓ１３０４において、履歴管理制御部１１１は、操作判別部１３０からの操作信号が、コンテンツ切替を指示する操作信号かどうかを判定する。さらに、履歴管理制御部１１１は、操作判別部１３０からの操作信号を、コンテンツ切替を指示する操作信号と判定した場合、コンテンツ情報記憶装置より、現在表示中のコンテンツの選択方法を示す情報を取得する。次に、履歴管理制御部１１１は、取得した選択方法を示す情報より、現在表示中のコンテンツが電子番組表より選択されたものかを判定する。
【０１０３】
ここで、履歴管理制御部１１１は、操作判別部１３０からの操作信号が、コンテンツ切替を指示する操作信号であり、かつ、現在表示中のコンテンツが電子番組表より選択されたものであると判定した場合、自身の判定結果を真とし、動作処理はＳ１３０６に移行する。一方、履歴管理制御部１１１は、自身の判定結果が偽である場合、履歴情報生成部１１３に履歴情報を生成する命令を出力せず、言い換えれば、現在表示中のコンテンツの情報を、履歴情報として、履歴情報記憶部１１４に記憶することなく、履歴情報保存処理を終了する。
【０１０４】
また、Ｓ１３０６においては、履歴管理制御部１１１は、履歴情報生成部１１３に、履歴情報を生成する命令を出力する。これにより、履歴情報記憶部１１４は、履歴情報生成部１１３によって生成された、現在表示中のコンテンツの情報を、履歴情報として記憶する。
【０１０５】
本実施形態のＳ１３０１〜Ｓ１３０５において、判定結果が真と判定される視聴者からの操作は、視聴者が現在表示中のコンテンツに興味をもったと考えられる操作である。したがって、Ｓ１３０１〜Ｓ１３０６の各ステップを行うことにより、履歴管理装置１１０は、視聴者が興味をもつコンテンツを、履歴情報として履歴情報記憶部１１４に記憶することになり、結果、有用な履歴情報を記憶することになる。
【０１０６】
以上に説明した、第１の実施形態、第２の実施形態、および第３の実施形態を組み合わせて、履歴管理装置１１０は、履歴情報記憶部１１４に記憶する履歴情報、および視聴者が興味を持った可能性の高さを示す優先順位を管理決定することもできる。具体的には、第１の実施形態における累計表示時間ポイントと、第２の実施形態における累計表示回数ポイントと加算して、加算した値に基づいて、履歴管理装置１１０は、記憶する履歴情報、および視聴者が興味を持った可能性の高さを示す優先順位を管理決定してもよい。さらに、第３の実施形態におけるＳ１３０６の動作処理を、第１の実施形態におけるＳ８０１〜Ｓ８０５、または、第２の実施形態におけるＳ１１０１〜Ｓ１１０６に、置き換えることが可能である。
【０１０７】
以下に図１３を参照して、第１の実施形態と第３の実施形態を組み合わせた場合の、コンテンツ表示装置１６０における動作の一例を説明する。図１３は、視聴者からの操作内容および時間経過に基づく、コンテンツ表示装置１６０の動作を示す説明図である。なお、以下の説明においては、コンテンツ表示装置１６０および履歴管理装置１１０の各ブロックの詳細な動作処理は、第１の実施形態から第３の実施形態において説明した動作処理と同様であるため、ここでは詳細な説明は省略する。
【０１０８】
まず、同図に示すように、時刻Ｔ１において、視聴者がコンテンツ表示装置１６０の電源を投入すると、コンテンツ表示装置１６０は、１画面表示モードの親画面に、言い換えれば、コンテンツ表示装置の全画面に、地上デジタル方法の１チャンネル（以下、地Ｄ−１と略称する）のコンテンツ映像を表示する。なお、ここでは、電源投入直後の親画面に表示されるコンテンツを、地Ｄ−１としたが、他のチャンネル、例えば、前回電源を切る直前に表示したチャンネルであってもよい。また、コンテンツ表示装置１６０は、多画面表示モードにおいて、１つの親画面と、３つの子画面Ａ〜Ｃを表示するものである。さらに、時刻Ｔ１において、履歴管理装置１１０の履歴情報記憶部１１４は、履歴情報を全く記憶していないものとする。
【０１０９】
次に、時刻Ｔ１から時間Ｔｓ以上Ｔｗ未満の時間経過した時刻Ｔ２において、視聴者がユーザインターフェイス部１４０を操作し、映像ソースをＢＳデジタル放送に切り替える。この映像ソースの切替により、コンテンツ表示装置１６０における表示モードは、１画面表示モードから多画面表示モードに切り替わる。さらに、履歴管理装置１１０においては、切り替わる前のコンテンツ（地Ｄ−１）のコンテンツ情報，累計表示時間ポイント，および最終表示時刻を履歴情報として記憶する。このとき、時刻Ｔ２以前において、履歴情報記憶部１１４は履歴情報を記憶していないため、履歴管理制御部１１１は、新たに記憶したコンテンツ（地Ｄ−１）の履歴情報を優先順位１位と判定し、表示用履歴情報Ａとして、履歴情報記憶部１１４に記憶する。したがって、コンテンツ表示装置１６０は、多画面表示モードにおける親画面に、ＢＳデジタル放送の１チャンネル（以下、ＢＳＤ−１と略称する）を表示し、子画面に、表示用履歴情報Ａとなる地Ｄ−１の静止画を表示する。なお、履歴情報記憶部１１４は、表示用履歴情報Ｂおよび表示用履歴情報Ｃを記憶していないため、子画面Ｂおよび子画面Ｃには、コンテンツ映像が表示されない。なお、ここでは、例としてコンテンツ表示装置１６０の電源オン後に、映像ソースがＢＳデジタル放送に切替られた場合、コンテンツ表示装置１６０が親画面に表示するコンテンツは、ＢＳＤ−１に自動的に切り替わるものとしている。もちろん、ＢＳデジタル放送の他のチャンネルであってもよい。
【０１１０】
次に、時刻Ｔ２から時間Ｔｓ以上Ｔｗ未満の時間経過した時刻Ｔ３において、視聴者がユーザインターフェイス部１４０を操作し、チャンネルをＢＳＤ−２に切り替える。このチャンネルの切替により、コンテンツ表示装置１６０は、表示モードを多画面表示モードのまま、親画面にＢＳＤ−２のコンテンツ映像を表示する。ここで、履歴管理装置１１０は、切り替わる前の親画面に表示していたコンテンツ（ＢＳＤ−１）のコンテンツ情報，累計表示時間ポイント，および最終表示時刻を履歴情報として記憶する。なお履歴管理装置１１０は、地Ｄ−１の履歴情報とＢＳＤ−１の履歴情報との累計表示時間ポイントを比較し、各履歴情報の優先順位を決定する。ここでは、ＢＳＤ−１の履歴情報の優先順位を１位とし、地Ｄ−１の履歴情報の優先順位を２位とする。したがって、履歴管理装置１１０は、ＢＳＤ−１の履歴情報のコンテンツ映像（静止画）を子画面Ａに表示し、地Ｄ−１の履歴情報のコンテンツ映像（静止画）を子画面Ｂに表示する。なお、履歴管理装置１１０は、２つの履歴情報しか記憶していないため、子画面Ｃには何も表示されない。
【０１１１】
次に、時刻Ｔ３から時間Ｔｓ未満の時間経過した時刻Ｔ４において、視聴者がユーザインターフェイス部１４０を操作し、チャンネルをＢＳＤ−６に切り替える。このチャンネルの切替により、コンテンツ表示装置１６０は、表示モードを多画面表示モードのまま、親画面にＢＳＤ−６のコンテンツ映像を表示する。ここで、履歴管理装置１１０は、コンテンツ（ＢＳＤ−２）の親画面に表示された表示時間が、時間Ｔｓ未満のため、コンテンツ（ＢＳＤ−２）を履歴情報として記憶しない。したがって、コンテンツ表示装置１６０は、ＢＳＤ−１と地Ｄ−１との履歴情報のコンテンツ映像を、子画面Ａおよび子画面Ｂに表示する。
【０１１２】
次に、時刻Ｔ４から時間Ｔｓ未満の時間経過した時刻Ｔ５において、視聴者が履歴確定キー４０４（図９参照）を押し、親画面に現在表示中のＢＳＤ−６のコンテンツを履歴情報として記憶するよう操作する。このとき、履歴管理装置１１０は、コンテンツ（ＢＳＤ−６）のコンテンツ情報，累計表示時間ポイント，および最終表示時刻を履歴情報として記憶する。ここで、親画面にはＢＳＤ−２のコンテンツ映像を現在表示しているため、履歴管理装置１１０は、コンテンツ（ＢＳＤ−６）の履歴情報を、表示用履歴情報として記憶しない。結果、コンテンツ表示装置１６０は、ＢＳＤ−１と地Ｄ−１の履歴情報のコンテンツ映像を子画面Ａおよび子画面Ｂに表示した状態のままとなる。
【０１１３】
次に、時刻Ｔ５から時間Ｔｓ未満の時間経過した時刻Ｔ６において、視聴者がユーザインターフェイス部１４０を操作し、チャンネルをＢＳＤ−８に切り替える。このチャンネルの切替により、コンテンツ表示装置１６０は、表示モードを多画面表示モードのまま、親画面にＢＳＤ−８のコンテンツ映像を表示する。ここで、履歴管理装置１１０は、自身の履歴情報記憶部１１４に記憶される履歴情報の優先順位に基づき、優先順位が上位３つの履歴情報のコンテンツ映像（静止画）を、子画面Ａ〜Ｃに表示する。
【０１１４】
次に、時刻Ｔ６から時間Ｔｓ以上Ｔｗ未満の時間経過した時刻Ｔ７において、視聴者が履歴選択キー４０３（図９参照）を押し、多画面表示モードの子画面の表示から、チャンネルを地Ｄ−１に切り替える。このとき、コンテンツ表示装置１６０は、表示モードを多画面表示モードのまま、親画面にＢＳＤ−６のコンテンツ映像を表示する。さらに、履歴管理装置１１０は、コンテンツ（ＢＳＤ−１）のコンテンツ情報，累計表示時間ポイント，および最終表示時刻を履歴情報として記憶する。なお履歴管理装置１１０は、地Ｄ−１の履歴情報とＢＳＤ−１の履歴情報とＢＳＤ−８の履歴情報の累計表示時間ポイントを比較し、各履歴情報の優先順位を決定する。次に、履歴管理装置１１０は、自身の履歴情報記憶部１１４に記憶される履歴情報の優先順位に基づき、優先順位が上位３つの履歴情報のコンテンツ映像（静止画）を、子画面Ａ〜Ｃに表示する。
【０１１５】
次に、時刻Ｔ７から時間Ｔｗ以上の時間経過した時刻Ｔ８において、履歴管理装置１１０は、表示モードを多画面表示モードから１画面表示モードに切り替える。これにより、コンテンツ表示装置１６０は、１画面表示モードの親画面に地Ｄ−１のコンテンツ映像を表示することになる。このように、多画面表示モードが、コンテンツの切替なしに、一定時間（時間Ｔｗ）継続した場合に、表示モードを１画面表示モードに変更することにより、視聴者からの操作なしに、自動的に見やすい１画面表示モードに戻ることができ、コンテンツ表示装置１６０の利便性が高まることになる。
【０１１６】
次に、時刻Ｔ８から任意の時間経過した時刻Ｔ９において、視聴者がユーザインターフェイス１４０を操作し、チャンネルを地Ｄ−１２に切り替える。このチャンネル切替により、コンテンツ表示装置１６０は、表示モードを多画面表示モードに切り替え、親画面に地Ｄ−１２のコンテンツ映像を表示する。ここで、履歴管理装置１１０は、コンテンツ（地Ｄ−１）の表示時間および選択方法に基づき、コンテンツ（地Ｄ−１）の履歴情報を更新する。さらに、履歴管理装置１１０は、履歴管理装置１１０は、自身の履歴情報記憶部１１４に記憶される履歴情報の累計表示ポイントに基づき、各履歴情報の優先順位を決定する。さらに、履歴管理装置１１０は、自身の履歴情報記憶部１１４に記憶される履歴情報の優先順位に基づき、優先順位が上位３つの履歴情報のコンテンツ映像（静止画）を、子画面Ａ〜Ｃに表示する。
【０１１７】
次に、時刻Ｔ９から時間Ｔｓ以上時間Ｔｗ未満の時間経過した時刻Ｔ１０において、視聴者はユーザインターフェイス部１４０を操作し、コンテンツ表示装置１６０の電源をＯＦＦする操作をする。ここで、履歴管理装置１１０は、現在表示中のコンテンツ（地Ｄ−１２）のコンテンツ情報，累計表示時間ポイント，および最終表示時刻を履歴情報として記憶し電源をＯＦＦする。
【０１１８】
以上に述べたように、本実施形態によれば、履歴管理装置１１０は、視聴者が好む有用なコンテンツの履歴情報を記憶できる。したがって、視聴者が過去に興味をもって視聴したコンテンツを再度視聴する場合に、それがどの映像ソース種別およびどのチャンネルであったかを視聴者が記憶する必要がない。さらに、コンテンツの切替を１操作によって行うことができ、利用者が効率よく所望のコンテンツを選択表示できるコンテンツ表示装置を提供できる。
【０１１９】
なお、本発明のコンテンツ表示装置は、上記した実施の形態に限定されるものではなく、本発明の要旨を逸脱しない範囲内において種々変更を加え得ることは勿論である。例えば、本実施例では、子画面には静止画を表示するものとして、チューナーやＭＰＥＧビデオデコーダなどは１系統分しか必要としない構成としたが、チューナーやＭＰＥＧビデオデコーダなどを複数系統分搭載して、親画面と、子画面の全部または一部を、動画で表示できるように改良することも可能である。
（プログラム関連発明）
なお、上記表示装置が備える各部は、ハードウェアロジックによって構成されていてもよいし、ＣＰＵなどの演算手段が、ＲＯＭ（Ｒｅａｄ  Ｏｎｌｙ  Ｍｅｍｏｒｙ）やＲＡＭなどの記憶手段に記憶されたプログラムを実行することにより実現する構成となっていてもよい。
【０１２０】
ＣＰＵなどの演算手段および記憶手段によって上記の各構成を構成する場合、これらの手段を有するコンピュータが、上記プログラムを記録した記録媒体を読み取り、当該プログラムを実行することによって、上記各部の各種機能および各種処理を実現することができる。また、上記プログラムをリムーバブルな記録媒体に記録することにより、任意のコンピュータ上で上記の各種機能および各種処理を実現することができる。
【０１２１】
この記録媒体としては、コンピュータによって処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１２２】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１２３】
また、インターネットを含む通信ネットワークを接続可能なシステム構成であれば、通信ネットワークからプログラムをダウンロードするように流動的にプログラムを担持する記録媒体であることが好ましい。
【０１２４】
さらに、このように通信ネットワークからプログラムをダウンロードする場合には、そのダウンロード用のプログラムは予め本体装置に格納しておくか、あるいは別の記録媒体からインストールされるものであることが好ましい。
【０１２５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２６】
なお、本発明の情報記憶媒体を以下のように構成してもよい。
【０１２７】
（第１構成）
利用者により選択されたコンテンツを表示し、その表示履歴を記憶し、表示された履歴情報の中から選択したコンテンツに表示を切り替えることができるコンテンツ表示装置
であって、表示時間に基づく特定の条件に合致する表示コンテンツに関する履歴情報を記憶することを特徴とするコンテンツ表示装置。
【０１２８】
（第２構成）
利用者により選択されたコンテンツを表示し、その表示履歴を記憶し、表示された履歴情報の中から選択したコンテンツに表示を切り替えることができるコンテンツ表示装置
であって、表示回数に基づく特定の条件に合致する表示コンテンツに関する履歴情報を記憶することを特徴とするコンテンツ表示装置。
【０１２９】
（第３構成）
利用者により選択されたコンテンツを表示し、その表示履歴を記憶し、表示された履歴情報の中から選択したコンテンツに表示を切り替えることができるコンテンツ表示装置
であって、利用者の操作内容に基づく特定の条件に合致する表示コンテンツに関する履歴情報を記憶することを特徴とするコンテンツ表示装置。
【０１３０】
（第４構成）
利用者により選択されたコンテンツを表示し、その表示履歴を記憶し、表示された履歴情報の中から選択したコンテンツに表示を切り替えることができるコンテンツ表示装置
であって、特定の条件に合致する表示コンテンツに関する履歴情報は削除する
ことを特徴とするコンテンツ表示装置。
【産業上の利用可能性】
【０１３１】
本発明は、履歴管理装置において、コンテンツの表示時間以外の情報も用いて、視聴者が好むコンテンツを、より高精度に判別することにより、過去に表示したコンテンツの情報を記憶するコンテンツ表示装置、特に、多画面表示が可能な大型液晶テレビ等において利用することが可能である。
【図面の簡単な説明】
【０１３２】
【図１】本発明の実施形態に係る、コンテンツ表示装置の構成を示すブロック図である。
【図２】本発明の実施形態に係る、１画面表示モードの表示例を示す説明図である。
【図３】本発明の実施形態に係る、多画面表示モードの表示例を示す説明図である。
【図４】本発明の実施形態に係る、履歴管理装置の動作処理を示すフローチャート図である。
【図５】本発明の一実施形態に係る、履歴情報保存処理を示すフローチャート図である。
【図６】本発明の実施形態に係る、履歴情報記憶部における、内部管理用履歴情報および表示用履歴情報を示す説明図である。
【図７】本発明の一実施形態に係る、履歴情報記憶部が記憶する履歴情報を示す説明図である。
【図８】本発明の実施形態に係る、履歴情報の削除の動作処理を示すフローチャート図である。
【図９】本発明の実施形態に係る、ユーザインターフェイス部を示す説明図である。
【図１０】本発明の他の実施形態に係る、履歴情報保存処理を示すフローチャート図である。
【図１１】本発明の他の実施形態に係る、履歴情報記憶部が記憶する履歴情報を示す説明図である。
【図１２】本発明のさらに他の実施形態に係る、履歴情報保存処理を示すフローチャート図である。
【図１３】本発明の実施形態に係る、視聴者からの操作による、コンテンツ表示装置の動作処理を示す説明図である。
【符号の説明】
【０１３３】
１１１  履歴管理制御部（生成手段、表示可能コンテンツ検出手段）
１１２  タイマカウンタ（測定手段）
１１８  コンテンツ情報記憶部（第１取得手段、第２取得手段）
１３０  操作判別部（検出手段、操作内容検出手段）
１５０  表示部（表示手段）
１６０  コンテンツ表示装置
【図１】
2009021816.tif 000003
【図２】
2009021816.tif 000004
【図３】
2009021816.tif 000005
【図４】
2009021816.tif 000006
【図５】
2009021816.tif 000007
【図６】
2009021816.tif 000008
【図７】
2009021816.tif 000009
【図８】
2009021816.tif 000010
【図９】
2009021816.tif 000011
【図１０】
2009021816.tif 000012
【図１１】
2009021816.tif 000013
【図１２】
2009021816.tif 000014
【図１３】
2009021816.tif 000015